(57)【要約】【課題】南京錠の使用によるハンドルロック機能を確保しつつ、南京錠を掛けない非ロックの状態でも、ハンドルの把手に人体，物が不用意に当たって回路遮断器が誤動作することかないような防護策を施したハンドル装置を提供する。【解決手段】回路遮断器の外部付属装置として遮断器を開閉操作するハンドル装置で、南京錠ロック方式に対応する引出し式ロックプレート４ａを備えたロータリー形ハンドルの把手４をハンドルの取付ベース３上に配置したものにおいて、ハンドルのロック位置（ＯＮ，ＯＦＦ）に対応するロックプレートの引出し領域を除き、把手の周囲を取り囲んで前記取付ベース上に高さＨが把手の高さｈよりも背高なガードフェンス８を設置してガードし、南京錠を掛けない回路遮断器の実使用状態でも、不用意に物，人体が当たってハンドルが切り換わるのを防ぐ。【選択図】        図１
2006100028.tif 000002
【特許請求の範囲】
【請求項１】
回路遮断器，もしくは該回路遮断器の外部付属装置として遮断器の主回路接点を開閉操作するハンドル装置であって、南京錠ロック方式に対応する引出し式のロックプレートを備えたロータリー形ハンドルの把手を取付ベース上に配置したものにおいて、
前記ハンドルのロック位置に対応するロックプレートの引出し領域を除き、把手の周囲を取り囲んで前記取付ベース上に把手よりも背高なガードフェンスを外付けしたことを特徴とする回路遮断器のハンドル装置。
【請求項２】
請求項１記載のハンドル装置において、ガードフェンスが樹脂製の壁体であり、該壁体を取付ベースにネジ止め，係止，または圧挿して固定したことを特徴とする回路遮断器のハンドル装置。
【請求項３】
請求項２記載のハンドル装置において、ガードフェンスが透明樹脂製の壁体であることを特徴とする回路遮断器のハンドル装置。
【発明の詳細な説明】
【技術分野】
【０００１】
本発明は、配線用回路遮断器などを対象に、該回路遮断器に備えたハンドル装置，もしくは回路遮断器の外部付属装置として遮断器本体に取り付けて開閉操作する外部ハンドル装置に関する。
【背景技術】
【０００２】
頭記の配線用回路遮断器は主回路接点を開閉操作するハンドルを備えており、操作タイプ別にロッカー形ハンドル（起倒式），あるいはロータリー形ハンドルがある。また、回路遮断器の外部付属装置として、配電盤,制御盤などの盤内に配置した回路遮断器を盤外から手動で開閉操作する外部操作ハンドル装置が周知であり、その従来例を図５に示す（特許文献１参照）。
図５（ａ），（ｂ）において、１はロッカー形ハンドルを備えた回路遮断器、２は外部付属装置として回路遮断器１に組み付けた外部操作ハンドル装置、３は該ハンドル装置の基台、４は基台３の前面に設けたロータリー形のハンドル把手、５は把手４をＯＮないしＯＦＦ位置で鎖錠するように掛けた南京錠であり、ハンドルの把手４は基台３の前部側に形成した円筒状台部になる取付ベース３ａの凹部に配して基台３の裏面側に組み込んだ駆動アーム６にカム機構を介して連結し、図示のようにハンドル装置２を回路遮断器１に組み付け状態で前記駆動アーム６を回路遮断器１のロッカー形ハンドル１ａと連繋するようにしている。なお、把手４の回転操作範囲は、メカ的にＯＮ位置とＯＦＦ位置の間の範囲（９０°）に規制されている。
【０００３】
かかる外部操作ハンドル装置２は、前記把手４を配電盤などの盤パネル７の前方に突き出して盤内に装備した回路遮断器１に取り付け、この状態で把手４を手動でＯＮ，ＯＦＦ位置に回すことにより駆動アーム６を介してロッカーハンドル１ａを駆動し、回路遮断器１の主回路接点を開閉する。また、回路遮断器１のハンドル１ａをＯＮ，ないしＯＦＦ位置に鎖錠する場合には、図示のように取付ベース３ａの円筒壁に開口したロック穴に南京錠５のアーム５ａを掛けて施錠し、ハンドルの把手４がＯＮからＯＦＦ位置、あるいは逆にＯＦＦからＯＮ位置に移動するのを阻止するようにしている。
また、前記ハンドル装置のロック機構として、把手の後部に引出し式のロックプレートを設け、ハンドルのロック位置で把手から引出した前記ロックプレートに南京錠を掛けて、ハンドルをＯＮないしＯＦＦ位置に鎖錠するようにした構成のものも公知である（例えば、特許文献２参照）。
【０００４】
このハンドルロック方式は外部操作ハンドル装置のほか、図６に示すロータリー形ハンドルを備えた回路遮断器にも広く採用されている。すなわち、遮断器ケースのカバー上面に配したロータリー形ハンドルの把手４の後部に前記した引出し式のロックプレート４ａを設けるとともに、ケースカバーにはハンドルのロック位置に合わせて突起状のストッパ１ｂを設け、図示のＯＦＦ位置で前記ストッパ１ｂの側方にロックプレート４ａを引出して把手４がＯＦＦからＯＮ位置へ移動するのを阻止するとともに、ロックプレート４ａに南京錠を掛けて引出し位置に鎖錠する。
なお、南京錠によるハンドルロック方式は、配電盤の内部で作業員が主回路の保守，点検作業を行う場合の保安策として回路遮断器をＯＦＦ状態にロックする、あるいはハンドルの誤操作で負荷の給電が絶たれる事態を防ぐために回路遮断器をＯＮ状態にロックするようハンドルの把手に南京錠を掛けている。しかし、南京錠の管理上の問題，および施錠，解錠に手間がかかることから、前記のような特別な場合を除いて回路遮断器を頻繁に開閉操作するような使用環境では南京錠を掛けずに使うことが多い。
【特許文献１】特開平９−２７２６２号公報
【特許文献２】特開２００２−２５４１１号公報
【発明の開示】
【発明が解決しようとする課題】
【０００５】
前記した従来構成のハンドル装置は、南京錠を掛けることでハンドルの把手をＯＮ，あるいはＯＦＦ位置に鎖錠してハンドルの誤操作を防ぐことができるものの、南京錠の管理，施錠，解錠操作の煩わしさから南京錠を掛けないで使用している状態では、不用意に物や人体が盤の前方に突き出しているハンドル装置の把手に当たったりすると、把手のＯＮ，ＯＦＦ位置が切り換わって回路遮断器が誤動作するおそれがある。
そこで、本発明は南京錠の使用によるハンドルロック機能を確保しつつ、南京錠を掛けてない使用環境の下でも、ハンドルの把手に人体，物が不用意に当たって回路遮断器が誤動作することがないような防護策を施した回路遮断器のハンドル装置を提供することにある。
【課題を解決するための手段】
【０００６】
上記目的を達成するために、本発明によれば、回路遮断器，もしくは該回路遮断器の外部付属装置として遮断器を開閉操作するハンドル装置で、南京錠ロック方式に対応する引出し式ロックプレートを備えたロータリー形ハンドルの把手をハンドルの取付ベース上に配置したものにおいて、
前記ハンドルのロック位置に対応するロックプレートの引出し領域を除き、把手の周囲を取り囲んで前記取付ベース上に把手よりも背高なガードフェンスを後付けするものとし（請求項１）、該ガードフェンスは具体的に次記のような態様で構成する。
（１）前記のガードフェンスを樹脂製の壁体とし、該壁体を取付ベースにネジ止め，係止，または圧挿して固定する（請求項２）。
（２）前項（１）におけるガードフェンスを透明樹脂製としてフェンスの側方からでも把手の位置，ベース上の表示マークを目視確認できるようにする。
【発明の効果】
【０００７】
上記の構成によれば、ハンドルの把手が裸状態のまま外部に突き出している従来構造と比べて、把手の周りにガードフェンスを設けたことで把手に外部から物や人体が不用意に触れたり，当たったりする確率は格段に小さくなり、それだけハンドルの不測な誤操作，誤動作に対する安全性が向上する。
また、このガードフェンスについて、ハンドルのロック位置に対応するロックプレートの引出し領域を切欠しておくことにより、南京錠使用のハンドルロック方式にも対応可能となり、かつガードフェンスを透明樹脂性とすることでハンドル位置，ベース上の表示マークが目視確認し易くなる。さらに、このガードフェンスをオプション部品としてハンドル装置に後付けするようにしたことで、ユーザーが回路遮断器を設置する環境の状況に応じてガードフェンスの使用，不使用を自由に選択できる。
【発明を実施するための最良の形態】
【０００８】
以下、本発明の実施の形態を図１〜図３、および図４に示す実施例に基づいて説明する。なお、実施例の図中で図５，図６に対応する部材には同じ符号を付している。
図１は配電盤内に装備した回路遮断器を盤の外から手動で開閉操作する外部操作ハンドル装置に適用した実施例を示すものである。この実施例では、取付ベース３の上に配置したロータリー形ハンドルの把手４は、先記の南京錠ロック方式に対応して把手の後部に引出し式ロックプレート４ａを備えている。また、この把手４を取り囲むように取付ベース３の周縁に沿って透明樹脂製の壁体になるガードフェンス８が外付けされている。
このガードフェンス８は、回路遮断器の実使用状態で配電盤のパネル前方に突き出しているハンドルの把手４に物，人体が不用意に当たってハンドルの位置が切り換わるのを防護する役目を果たすオプション部品であり、その高さＨは把手４の高さｈよりも背高に設定されている。また、ハンドルのＯＮ位置，ＯＦＦ位置でロックプレート４ａをガードフェンス８の外側に引き出して南京錠を掛けられるようにするために、図示のようにガードフェンス８の周域一部（把手４のＯＮ位置とＯＦＦ位置との間の範囲）を欠如しておき、図２のようにハンドルのＯＦＦ位置（ＯＮ位置も同様）では、ガードフェンス８との干渉なしに把手４からロックプレート４ａを引き出して該ロックプレート４ａに開口したロック穴４ｂに南京錠が掛けられるようにしている。このような構成により、簡易ロックの機能を維持しつつ、把手のＯＮ状態ではＯＮからＯＦＦに回転させる方向に、ＯＦＦ状態ではＯＦＦからＯＮに回転させる方向からの接触を防ぐことができる。なお、図示してないが取付ベース３には、ＯＮないしＯＦＦ位置で把手４からロックプレート４ａを引き出すと、把手がこの位置に係止されるような機構を備えている。
【０００９】
次に、ガードフェンス８の取付け構造例を図３（ａ）〜（ｄ）に示す。まず、図３（ａ）は取付ベース３の上にガードフェンス８を重ね、ハンドル装置２を装着する盤パネル７の前面に止めネジ９で共締めして固定する。また、図３（ｂ）では、ガードフェンス８の壁体基部に突起状の係合爪８ａを一体成形しておくとともに、取付ベース３の上面側には前記係合爪８ａを掛止する段付き状の係合溝３ｂを形成し、ガードフェンス８を装着する際に係合爪８ａを係合溝３ｂに嵌合して係止固定する。また、図３（ｃ）の例では、前記係合爪の代わりに圧入突起８ｂを形成し、この突起８ｂを取付ベース３の溝３ｂに圧入してガードフェンス８を固定するようにしている。さらに、図３（ｄ）の例ではガードフェンス８を多少撓ませた状態で取付ベース３の外周に嵌着して弾性的に固定している。このような固定方式を採用することで、ガードフェンス８をオプション部品としてユーザーが必要に応じて後付けすることができる。
【００１０】
次に、前記のガードフェンスをロータリー形ハンドル付きの回路遮断器に適用した実施例を図４に示す。この実施例では、回路遮断器１に装備したロックプレート付きハンドル把手４に対して、遮断器ケースのカバー（ハンドルの取付ベース）上面には把手４を取り囲む円環状のガードフェンス８を設置して把手４をガードしている。このガードフェンス８は、図１〜図３で述べた外部操作ハンドル装置のガードフェンスと同様に、把手４よりも背高な透明樹脂製の壁体になり、止めネジ，あるいは掛止爪を介して遮断器ケースのカバー上面に固定している。また、図示例では回路遮断器のＯＦＦ位置でハンドルの把手４から引き出したロックプレート４ａに南京錠を掛けて鎖錠するようにしており、この南京錠ロック方式に対応してガードフェンス８の周域一部に切欠部８ｃを形成しておき、この切欠部８ｃを通して把手４のロックプレート４ａをフェンスの外側に引き出せるようにしている。これにより、先記した外部操作ハンドル装置と同様に、回路遮断器の実使用状態でハンドルに物，人体が不測に当たるのを防ぐことができる。
【図面の簡単な説明】
【００１１】
【図１】外部操作ハンドル装置に適用した本発明実施例の構成図
【図２】図１のハンドル位置でロックプレートを引き出した状態を表す図
【図３】図１におけるガードフェンスの取付け構造を表す図で、（ａ）〜（ｄ）はそれぞれ異なる実施例の構造図
【図４】回路遮断器のロータリー形ハンドルに適用した本発明実施例の構成図
【図５】外部操作ハンドル装置の従来構成図で、（ａ）は回路遮断器に取り付けた状態の外観斜視図、（ｂ）は（ａ）の側面図
【図６】ロータリー形ハンドルを装備した回路遮断器の外観斜視図
【符号の説明】
【００１２】
１    回路遮断器
２    外部操作ハンドル装置
３    取付ベース
４    ロータリー形ハンドルの把手
４ａ  ロックプレート
５    南京錠
８    ガードフェンス
【図１】
2006100028.tif 000003
【図２】
2006100028.tif 000004
【図３】
2006100028.tif 000005
【図４】
2006100028.tif 000006
【図５】
2006100028.tif 000007
【図６】
2006100028.tif 000008